(57)【要約】      （修正有）【課題】釣り中における腕や手首の負担を軽減することができ、それと共に良好な釣果を得ることができる腕用釣り竿受けを提供する。【解決手段】前腕を前方に向けた状態で保持した釣り竿を受ける断面湾曲状の竿受け部２と、この竿受け部２に連結されると共に前腕に対する当該竿受け部２の位置ずれを防ぐように前腕周形状に沿って形成された腕装着部３と、この腕装着部３に設けられ、前方に向けた前腕の下側で竿受け部２を位置決めする装着ベルト４とを備える。【選択図】図１
0003197980.tif 000002
【実用新案登録請求の範囲】
【請求項１】
前腕を前方に向けた状態で保持した釣り竿を受ける断面湾曲状の竿受け部と、
この竿受け部に連結されると共に前腕に対する当該竿受け部の位置ずれを防ぐように前腕周形状に沿って形成された腕装着部と、
この腕装着部に設けられ、前方に向けた前腕の下側で前記竿受け部を位置決めする装着ベルトと、を備えることを特徴とする腕用釣り竿受け。
【請求項２】
前記竿受け部は、釣り竿の上方向及び左右方向への動きを規制する断面湾曲状に形成されていることを特徴とする請求項１に記載の腕用釣り竿受け。
【請求項３】
前記竿受け部は、釣り竿の上方向及び身体側への動きを規制する断面湾曲状に形成されていることを特徴とする請求項１に記載の腕用釣り竿受け。
【考案の詳細な説明】
【技術分野】
【０００１】
本考案は腕に装着可能な釣り竿受けに関するものである。
【背景技術】
【０００２】
先端に仕掛けが付けられた釣り竿を保持した際、釣り竿の後端を支える腕の負担は非常に大きい。特許文献１には、身体に装着自在なベルトと、このベルトに設けられた釣り竿固定部とを備え、この釣り竿固定部に釣り竿を固定することによって、釣り竿を保持したまま効率よく操作でき、腕の負担及び移動の煩わしさを軽減した釣り竿保持具が記載されている。
【先行技術文献】
【特許文献】
【０００３】
【特許文献１】実用新案登録第３１３３０８０号公報
【考案の概要】
【考案が解決しようとする課題】
【０００４】
釣りの際には、前腕を前方に向けた状態で釣り竿を保持する。手の位置を支点に釣り竿が保持されるため、前腕の下側にくる釣り竿の後部が上下左右に動き、釣り竿がグラグラする。釣り竿が動くのを止めるために腕及び手首には相当な負担がかかり、特に長時間の釣りとなった場合、腕や手首の疲労が大きくなる。特許文献１の釣り竿保持具では、釣り竿は単に身体にぶら下げられているだけであり、釣り中において釣り竿は腕に対して自在に動く状態となっている。そのため、釣り中における腕や手首の負担を軽減することはできない。さらに、良好な釣果を得るには、竿先の微妙な動きを長時間に渡ってコントロールする必要もあり、釣り竿を身体にぶら下げているだけの釣り竿保持具では、良好な釣果を得ることはできない。
【０００５】
そこで本考案は従来技術の問題点に鑑み、釣り中における腕や手首の負担を軽減することができ、それと共に良好な釣果を得ることができる腕用釣り竿受けを提供することを目的とする。
【課題を解決するための手段】
【０００６】
本考案は、前腕を前方に向けた状態で保持した釣り竿を受ける断面湾曲状の竿受け部と、この竿受け部に連結されると共に前腕に対する当該竿受け部の位置ずれを防ぐように前腕周形状に沿って形成された腕装着部と、この腕装着部に設けられ、前方に向けた前腕の下側で前記竿受け部を位置決めする装着ベルトと、を備えることを特徴とする腕用釣り竿受けである。
【０００７】
本考案の腕用釣り竿受けでは、竿受け部によって、前腕を前方に向けた状態で保持した釣り竿を受けることができ、腕装着部によって前腕に対する竿受け部の位置ずれが防がれ、装着ベルトによって前方に向けた前腕の下方へ竿受け部が位置決めされる。そのため、釣り竿を保持したときに、前腕に対する釣り竿の位置を容易に固定できる。これにより、釣り中における腕や手首の負担を軽減することができ、それと共に良好な釣果を得ることができる。
【０００８】
前記竿受け部を、釣り竿の上方向及び左右方向への動きを規制する断面湾曲状に形成すれば、釣りの初心者、及び若年者が容易に釣り竿を取り扱うことができる。
【０００９】
前記竿受け部を、釣り竿の上方向及び身体側への動きを規制する断面湾曲状に形成すれば、釣りの熟練者が釣り竿を取り回し易くなり、より良好な釣果を得ることができようになる。
【考案の効果】
【００１０】
本考案によれば、釣り竿を保持したときに腕に対する釣り竿の位置を容易に固定できるため、釣り中における腕や手首の負担を軽減することができ、それと共に良好な釣果を得ることができる。
【図面の簡単な説明】
【００１１】
【図１】本考案の第１実施形態に係る腕用釣り竿受けの斜視図である。
【図２】竿受け部と腕装着部の正面図である。
【図３】竿受け部と腕装着部の側面図である。
【図４】腕用釣り竿受けを前腕に装着した状態の図である。
【図５】本考案の第２実施形態に係る腕用釣り竿受けの斜視図である。
【考案を実施するための形態】
【００１２】
本考案の実施形態について図面を参照して説明する。図１は本考案の第１実施形態に係る腕用釣り竿受け１の斜視図であり、図２は装着ベルトを除いた腕用釣り竿受け１の正面図である。図３は装着ベルトを除いた腕用釣り竿受け１の側面図であり、図４は腕用釣り竿受け１を前腕２０に装着した状態の図である。本実施形態の腕用釣り竿受け１は、釣り竿を受ける竿受け部２と、この竿受け部２に連結された腕装着部３と、この腕装着部３に設けられた装着ベルト４とで主に構成されている。
【００１３】
腕装着部３は前腕２０に当てて使用するものであり、本実施形態では図２のように竿受け部２の両側に、２つの板状体５、６が上方へ向けて広がるように固定されている。腕装着部３は、両板状体５、６と竿受け部２の一部とで断面略逆台形状に構成されている。腕装着部３を前腕２０に当てると、前腕２０の周形状に沿うようになっており、この腕装着部３に連結されている竿受け部２の位置ずれを防いでいる。
【００１４】
腕装着部３の下側に連結された竿受け部２は、前腕２０の半分程度の長さで断面湾曲状に形成されている。本実施形態の竿受け部２は半円よりも若干大きい断面円弧状に形成されており、釣り竿の上方向及び左右方向への動きを規制できるようになっている。図３のように、竿受け部２の後部分には欠損部分７があり、この欠損部分７によって釣り竿のグリップ部分を竿受け部２に対して脱着し易くなっている。このような竿受け部２の構成により、前腕２０を前方に向けた状態で保持した釣り竿を受けることができる。竿受け部２の内側にはゴム製の滑り止め部材８が設けられており、釣り竿の滑りを止めることができる。
【００１５】
竿受け部２及び腕装着部３を構成する素材は限定されず、所要の強度を有するものであればどのような樹脂、金属であってもよい。竿受け部２及び腕装着部３を構成する樹脂として、例えばポリエチレン、ポリエステル、ポリプロピレン、ＡＢＳ等が挙げられる。
【００１６】
図１のように腕装着部３の下側に装着ベルト４が通されている。竿受け部２が連結された腕装着部３を前腕２０へ当てた状態で装着ベルト４を締め込むことで、前方に向けた前腕２０の下側で竿受け部２を位置決めすることができる。
【００１７】
本考案の腕用釣り竿受け１によれば、竿受け部２によって、前腕２０を前方に向けた状態で保持した釣り竿を受けることができ、腕装着部３によって前腕２０に対する竿受け部２の位置ずれが防がれ、装着ベルト４によって前方に向けた前腕２０の下側で竿受け部２が位置決めされる。そのため、釣り竿を保持したときに前腕２０に対する釣り竿の位置を容易に固定できる。これにより、釣り中における腕や手首の負担を軽減することができ、それと共に良好な釣果を得ることができる。さらに、竿受け部２を、釣り竿の上方向及び左右方向への動きを規制する断面湾曲状に形成しているため、釣りの初心者、及び若年者が容易に釣り竿を取り扱うことができる。
【００１８】
上記実施形態は本考案に係る腕用釣り竿受けの例示であり、竿受け部及び腕装着部の形状、大きさ等は適宜変更される。図５は本考案の第２実施形態に係る腕用釣り竿受け１０の斜視図である。この実施形態では、竿受け部１１、腕装着部１２及び装着ベルト１３のうち、竿受け部１１を断面半円弧状に形成しており、第１実施形態よりも周長を短くしている。竿受け部１１を断面半円弧状とすることで、釣り竿の上方向及び身体側への動きのみが規制されて、釣り竿の可動域がより大きくなる。これにより、釣りの熟練者が釣り竿を取り回し易くなり、より良好な釣果を得ることができようになる。
【符号の説明】
【００１９】
１、１０  腕用釣り竿受け
２、１１  竿受け部
３、１２  腕装着部
４、１３  装着ベルト
５、６  板状体
７  欠損部分
８  滑り止め部材
２０  前腕
【図１】
0003197980.tif 000003
【図２】
0003197980.tif 000004
【図３】
0003197980.tif 000005
【図４】
0003197980.tif 000006
【図５】
0003197980.tif 000007